(57)【要約】      （修正有）【課題】Ｘ線乳房撮影など専門医を必要としない、乳癌の自己検知システムを提供する。【解決手段】乳癌自己診断機着脱装置であって、モバイル機器で乳癌の自己診断のための触覚画像及び近赤外線画像を獲得して画像処理を行えるように乳房の弾性度分布情報の収集及び近赤外線の照射をするためのＰＤＭＳモジュール１００と、ＰＤＭＳモジュールとスクリュ締結方式で着脱可能であり、ＰＤＭＳモジュールに必要な電源が線連結処理なしに電極を用いた電源連結方式で接触するようにする本体装着モジュール２００とを含むことを特徴とする。【選択図】図２
2019080901.tif 000002
【特許請求の範囲】
【請求項１】
乳癌自己診断機着脱装置１０であって、
モバイル機器で乳癌の自己診断のための触覚画像及び近赤外線画像を獲得して画像処理を行えるように乳房の弾性度分布情報の収集及び近赤外線の照射をするためのＰＤＭＳモジュール１００と、
前記ＰＤＭＳモジュール１００とスクリュ締結方式で着脱可能であり、前記ＰＤＭＳモジュール１００に必要な電源が線連結処理なしに電極を用いた電源連結方式で接触するようにする本体装着モジュール２００と
を含む乳癌自己診断機着脱装置。
【請求項２】
前記ＰＤＭＳモジュール１００は、
触覚センサ１１１が四角状の貫通孔１１２の内部に挿設され、前記触覚センサ１１１が挿設される貫通孔１１２の４面の内壁に第１のＬＥＤホルダ１１３が形成され、下部に前記本体装着モジュール２００とスクリュ締結されるためのネジ部１１４が形成される流線型ケース１１０と、
前記流線型ケース１１０の内部に挿入締結され、前記第１のＬＥＤホルダ１１３に対応する第２のＬＥＤホルダ１２１が形成されるＬＥＤホルダフレーム１２０と、
前記ＬＥＤホルダフレーム１２０が挿入締結される前記流線型ケース１１０の内部に挿入され、乳房の近赤外線画像が得られるように乳房に近赤外線を照射するための４個の近赤外線ＬＥＤ１３１が固定される４個のＬＥＤ固定部１３２と、
前記４個のＬＥＤ固定部１３２が配置される電源連結部ＰＣＢ１３３と、
前記電源連結部ＰＣＢ１３３の下部に固定用突起１３４が形成される近赤外線ＬＥＤフレーム１３０と
を含んで構成されることを特徴とする請求項１に記載の乳癌自己診断機着脱装置。
【請求項３】
前記第１のＬＥＤホルダ１１３と第２のＬＥＤホルダ１２１は、
前記近赤外線ＬＥＤ１３１から照射される近赤外線の方向性が維持され、光が外部に分散されて漏れるのが防止されるように機能することを特徴とする請求項２に記載の乳癌自己診断機着脱装置。
【請求項４】
前記４個の近赤外線ＬＥＤ１３１のそれぞれは、
前記第１のＬＥＤホルダ１１３と第２のＬＥＤホルダ１２１との間に配置され、前記第１のＬＥＤホルダ１１３と第２のＬＥＤホルダ１２１がＬＥＤ固定部１３２により固定されている近赤外線ＬＥＤ１３１を上下で把持する形態で別途の付加的な部品なしに組み立てられることを特徴とする請求項２に記載の乳癌自己診断機着脱装置。
【請求項５】
前記４個の近赤外線ＬＥＤ１３１のそれぞれは、
前記ＬＥＤ固定部１３２に締結固定し、９０°の角度を維持するように配置構成され、同一の高さ及び方向に照射される近赤外線が前記ＰＤＭＳモジュール１００の触覚センサ１１１に供給されるようにすることを特徴とする請求項２に記載の乳癌自己診断機着脱装置。
【請求項６】
前記近赤外線ＬＥＤフレーム１３０は、
前記電源連結部ＰＣＢ１３３上に接触式電極１３３ａが更に設けられ、前記接触式電極１３３ａが前記流線型ケース１１０のネジ部１１４を通じて前記本体装着モジュール２００とスクリュ締結方式で連結される際に電源が接続され、前記ＰＤＭＳモジュール１００の着脱時に電源の接続が解除されることを特徴とする請求項２に記載の乳癌自己診断機着脱装置。
【請求項７】
前記本体装着モジュール２００は、
前記ＰＤＭＳモジュール１００に形成されるネジ部１１４とスクリュ締結方式で着脱されるための流線型ケース連結部２１０と、
前記ＰＤＭＳモジュール１００に電源を供給するための電極２２１と、前記ＰＤＭＳモジュール１００に形成された固定用突起１３４が定位置に位置し、固着できる流線型ケース固定ホール２２２が形成され、前記流線型ケース連結部２１０に対応する形状で前記流線型ケース連結部２１０に配置構成されるメインＰＣＢ２２０と、
前記流線型ケース連結部２１０に対応して位置する前記メインＰＣＢ２２０を収容する形態で下部に配置され、前記流線型ケース連結部２１０と締結される本体装着ベースフレーム２３０と
を含んで構成されることを特徴とする請求項２〜６の何れか一項に記載の乳癌自己診断機着脱装置。
【請求項８】
前記本体装着モジュール２００は、
前記本体装着ベースフレーム２３０の一側に締結される洗濯ばさみ状のモバイル機器固定部２４０を更に含んで構成されることを特徴とする請求項７に記載の乳癌自己診断機着脱装置。
【発明の詳細な説明】
【技術分野】
【０００１】
本発明は、乳癌自己診断機着脱装置に関し、より詳細には、使用者の胸部位に接触し、乳癌を診断できるようにするための乳癌自己診断機としてＰＤＭＳモジュールと本体装着モジュールで構成され、ＰＤＭＳモジュールと本体装着モジュールがスクリュ締結方式の着脱により連結され、ＰＤＭＳモジュールに必要な電源が線連結処理なしに電極を用いた電源連結方式で接触できるようにする構造を有する乳癌自己診断機着脱装置に関する。
【背景技術】
【０００２】
一般に、乳癌（breast cancer）は４０代以上の中年女性から頻繁に発見される病気であって、早期診断と治療は死亡率を大幅に減少させることができる。しかし、乳癌の初期には大半の場合、何ら症状がなく、最も多く現れる症状は触診により痛みのないしこりが感じられることである。このような自己検診は、患者の自己検診の熟練度と患者の敏感度によって異なり得るので、定期的な乳癌検査が勧められている。
【０００３】
乳癌を画像で診断する装置としては、Ｘ線乳房撮影装置、超音波スキャナ、磁気共鳴画像装置（ＭＲＩ）などが挙げられ、このうち、乳癌の早期診断のために定期検診で最も多く用いられる装置は、Ｘ線乳房撮影装置（韓国特許出願第１０−２００９−００９６９３４号、第１０−２００８−０００４５６４号参照）である。Ｘ線乳房撮影装置は、組織によってＸ線の透過係数が異なる現象を利用するものであって、特にＸ線をよく吸収する組織、例えば石灰化（calcification）した組織などを上手く区分する。石灰化した組織は、癌組織に進展する確率が高いため、石灰化した組織を早期に見つけるのも乳癌を予防するのに大きく役立つ。
【０００４】
しかし、Ｘ線乳房撮影装置は、正常組織と比較して対照度（contrast）が高くない乳癌組織の画像を肉眼で識別する方式によるものであるので、必ず熟練した専門医の診断が必要である。従って、専門医の熟練度によって正確度が変わる恐れがあり、検査コストが多くかかるという問題がある。それだけでなく、紫外線よりも短い波長の領域にある電磁波の形態を利用するものであって、２次元投影フラットパネルに表すので、表現に限界があるという点、放射線にさらされる危険があるという点などの短所もある。西欧化した食生活の変化により乳癌の罹患率が高くなるにつれ、従来のＸ線乳房撮影装置の短所を克服し、デジタル化した自己検知システムの構築が必要なのが現状である。
【発明の概要】
【発明が解決しようとする課題】
【０００５】
そこで、本発明は上記事情に鑑みてなされたものであって、その目的は、乳癌自己診断機としてＰＤＭＳモジュールと本体装着モジュールで構成され、ＰＤＭＳモジュールと本体装着モジュールがスクリュ締結方式の着脱により連結され、ＰＤＭＳモジュールに必要な電源が線連結処理なしに電極を用いた電源連結方式で接触する構造を有するように構成することによって、使用者の胸部位に接触し、乳癌を診断できるようにするための乳癌自己診断機の便利な着脱使用を可能にする乳癌自己診断機着脱装置を提供することにある。
【０００６】
また、本発明の他の目的は、分離して構成されるＰＤＭＳモジュールと本体装着モジュールのスクリュ締結方式の着脱構造の構成によるＰＤＭＳモジュールに必要なパワー電源の供給が電極を用いた電源連結の無線方式で連結されるようにすることによって、未使用時にはＰＤＭＳモジュールを本体装着モジュールから簡単にスクリュ方式で着脱分離するだけでも電源がオフされるため、バッテリの消耗が軽減され、乳癌自己診断機の使用の利便性が向上できるようにする乳癌自己診断機着脱装置を提供することにある。
【課題を解決するための手段】
【０００７】
前記目的を達成するための本発明に係る乳癌自己診断機着脱装置は、乳癌自己診断機着脱装置であって、モバイル機器で乳癌の自己診断のための触覚画像及び近赤外線画像を獲得して画像処理を行えるように乳房の弾性度分布情報の収集及び近赤外線の照射をするためのＰＤＭＳモジュールと、前記ＰＤＭＳモジュールとスクリュ締結方式で着脱可能であり、前記ＰＤＭＳモジュールに必要な電源が線連結処理なしに電極を用いた電源連結方式で接触するようにする本体装着モジュールとを含むことを特徴とする。
【０００８】
好ましくは、前記ＰＤＭＳモジュールは、触覚センサが四角状の貫通孔の内部に挿設され、前記触覚センサが挿設される貫通孔の４面の内壁に第１のＬＥＤホルダが形成され、下部に前記本体装着モジュールとスクリュ締結されるためのネジ部が形成される流線型ケースと、前記流線型ケースの内部に挿入締結され、前記第１のＬＥＤホルダに対応する第２のＬＥＤホルダが形成されるＬＥＤホルダフレームと、前記ＬＥＤホルダフレームが挿入締結される前記流線型ケースの内部に挿入され、乳房の近赤外線画像が得られるように乳房に近赤外線を照射するための４個の近赤外線ＬＥＤが固定される４個のＬＥＤ固定部と、前記４個のＬＥＤ固定部が配置される電源連結部ＰＣＢと、前記電源連結部ＰＣＢの下部に固定用突起が形成される近赤外線ＬＥＤフレームとを含んで構成することができる。
【０００９】
より好ましくは、前記第１のＬＥＤホルダと第２のＬＥＤホルダは、前記近赤外線ＬＥＤから照射される近赤外線の方向性が維持され、光が外部に分散されて漏れるのが防止されるように機能できる。
【００１０】
より好ましくは、前記４個の近赤外線ＬＥＤのそれぞれは、前記第１のＬＥＤホルダと第２のＬＥＤホルダとの間に配置され、前記第１のＬＥＤホルダと第２のＬＥＤホルダがＬＥＤ固定部により固定されている近赤外線ＬＥＤを上下で把持する形態で別途の付加的な部品なしに組み立てることができる。
【００１１】
より好ましくは、前記４個の近赤外線ＬＥＤのそれぞれは、前記ＬＥＤ固定部に締結固定し、９０°の角度を維持するように配置構成され、同一の高さ及び方向に照射される近赤外線が前記ＰＤＭＳモジュールの触覚センサに供給されるようにすることができる。
【００１２】
より好ましくは、前記近赤外線ＬＥＤフレームは、前記電源連結部ＰＣＢ上に接触式電極が更に設けられ、前記接触式電極が前記流線型ケースのネジ部を通じて前記本体装着モジュールとスクリュ締結方式で連結される際に電源が接続され、前記ＰＤＭＳモジュールの着脱時に電源の接続が解除されることができる。
【００１３】
好ましくは、前記本体装着モジュールは、前記ＰＤＭＳモジュールに形成されるネジ部とスクリュ締結方式で着脱されるための流線型ケース連結部と、前記ＰＤＭＳモジュールに電源を供給するための電極と、前記ＰＤＭＳモジュールに形成された固定用突起が定位置に位置し、固着できる流線型ケース固定ホールが形成され、前記流線型ケース連結部に対応する形状で前記流線型ケース連結部に配置構成されるメインＰＣＢと、前記流線型ケース連結部に対応して位置する前記メインＰＣＢを収容する形態で下部に配置され、前記流線型ケース連結部と締結される本体装着ベースフレームと含んで構成することができる。
【００１４】
より好ましくは、前記本体装着モジュールは、前記本体装着ベースフレームの一側に締結される洗濯ばさみ状のモバイル機器固定部を更に含んで構成することができる。
【発明の効果】
【００１５】
本発明の乳癌自己診断機着脱装置によれば、乳癌自己診断機としてＰＤＭＳモジュールと本体装着モジュールで構成され、ＰＤＭＳモジュールと本体装着モジュールがスクリュ締結方式の着脱により連結され、ＰＤＭＳモジュールに必要な電源が線連結処理なしに電極を用いた電源連結方式で接触する構造を有するように構成することによって、使用者の胸部位に接触し、乳癌を診断できるようにするための乳癌自己診断機の便利な着脱使用を可能にすることができるという効果を奏する。
【００１６】
また、本発明によれば、分離して構成されるＰＤＭＳモジュールと本体装着モジュールのスクリュ締結方式の着脱構造の構成によるＰＤＭＳモジュールに必要なパワー電源の供給が電極を用いた電源連結の無線方式で連結されるようにすることによって、未使用時にはＰＤＭＳモジュールを本体装着モジュールから簡単にスクリュ方式で着脱分離するだけでも電源がオフされるため、バッテリの消耗が軽減され、乳癌自己診断機の使用の利便性が向上できるという効果が得られる。
【図面の簡単な説明】
【００１７】
【図１】本発明の一実施形態に係る乳癌自己診断機着脱装置に適用されるＰＤＭＳモジュールの分解斜視図の構成を示す図である。
【図２】本発明の一実施形態に係る乳癌自己診断機着脱装置の全体構成を分解斜視図で示す図である。
【図３】本発明の一実施形態に係る乳癌自己診断機着脱装置の組立斜視図の構成を示す図である。
【図４】本発明の一実施形態に係る乳癌自己診断機着脱装置の側面構成を示す図である。
【図５】本発明の一実施形態に係る乳癌自己診断機着脱装置の平面図及び底面図の構成を示す図である。
【発明を実施するための形態】
【００１８】
以下、添付の図面を参照して本発明が属する技術分野において通常の知識を有する者が本発明を容易に実施できるように好適な実施形態を詳細に説明する。但し、本発明の好適な実施形態を詳細に説明するにおいて、関連する公知の機能又は構成に関する具体的な説明が本発明の要旨を不要に曖昧にする恐れがあると判断される場合にはその詳細な説明を省略する。また、類似の機能及び作用をする部分に対しては、図面全体に亘って同一の符号を付す。
【００１９】
なお、明細書全体において、ある部分が他の部分と「連結」されているとするとき、これは「直接的に連結」されている場合だけでなく、その間に他の素子を挟んで「間接的に連結」されている場合も含む。また、ある構成要素を「含む」とは、特に反対の記載がない限り、他の要素を除外するものではなく、他の構成要素を更に含むことができるということを意味する。
【００２０】
図１は、本発明の一実施形態に係る乳癌自己診断機着脱装置に適用されるＰＤＭＳモジュールの分解斜視図の構成を示す図であり、図２は、本発明の一実施形態に係る乳癌自己診断機着脱装置の全体構成を分解斜視図で示す図であり、図３は、本発明の一実施形態に係る乳癌自己診断機着脱装置の組立斜視図の構成を示す図であり、図４は、本発明の一実施形態に係る乳癌自己診断機着脱装置の側面構成を示す図であり、図５は、本発明の一実施形態に係る乳癌自己診断機着脱装置の平面図及び底面図の構成を示す図である。図１〜図５にそれぞれ示すように、本発明の一実施形態に係る乳癌自己診断機着脱装置１０は、ＰＤＭＳ（poly-di-methyl-siloxane）モジュール１１０、及び本体装着モジュール２００を含んで構成されることができる。
【００２１】
ＰＤＭＳモジュール１１０は、モバイル機器で乳癌の自己診断のための触覚画像及び近赤外線画像を獲得して画像処理を行えるように乳房の弾性度分布情報の収集及び近赤外線の照射をするためのセンサモジュールの構成である。このようなＰＤＭＳモジュール１００は、図１に示すように、触覚センサ１１１が四角状の貫通孔１１２の内部に挿設され、触覚センサ１１１が挿設される貫通孔１１２の４面の内壁に第１のＬＥＤホルダ１１３が形成され、下部に後述する本体装着モジュール２００とスクリュ締結されるためのネジ部１１４が形成される流線型ケース１１０と、流線型ケース１１０の内部に挿入締結され、第１のＬＥＤホルダ１１３に対応する第２のＬＥＤホルダ１２１が形成されるＬＥＤホルダフレーム１２０と、ＬＥＤホルダフレーム１２０が挿入締結される流線型ケース１１０の内部に挿入され、乳房の近赤外線画像が得られるように乳房に近赤外線を照射するための４個の近赤外線ＬＥＤ１３１が固定される４個のＬＥＤ固定部１３２と、４個のＬＥＤ固定部１３２が配置される電源連結部ＰＣＢ１３３と、電源連結部ＰＣＢ１３３の下部に固定用突起１３４が形成される近赤外線ＬＥＤフレーム１３０とを含んで構成することができる。
【００２２】
また、第１のＬＥＤホルダ１１３と第２のＬＥＤホルダ１２１は、近赤外線ＬＥＤ１３１から照射される近赤外線の方向性が維持され、光が外部に分散されて漏れるのが防止されるように機能できる。即ち、第１のＬＥＤホルダ１１３と第２のＬＥＤホルダ１２１は、触覚センサ１１１に近赤外線が十分に伝達されるようにする通路としての役割を果たす。
【００２３】
更に、４個の近赤外線ＬＥＤ１３１のそれぞれは、第１のＬＥＤホルダ１１３と第２のＬＥＤホルダ１２１との間に配置され、第１のＬＥＤホルダ１１３と第２のＬＥＤホルダ１２１がＬＥＤ固定部１３２により固定されている近赤外線ＬＥＤ１３１を上下で把持する形態で別途の付加的な部品なしに組み立てられることができる。ここで、４個の近赤外線ＬＥＤ１３１のそれぞれは、ＬＥＤ固定部１３２に締結固定し、９０°の角度を維持するように配置構成され、同一の高さ及び方向に照射される近赤外線がＰＤＭＳモジュール１００の触覚センサ１１１に供給されるようにする。
【００２４】
また、近赤外線ＬＥＤフレーム１３０は、電源連結部ＰＣＢ１３３上に接触式電極１３３ａが更に設けられ、接触式電極１３３ａが流線型ケース１１０のネジ部１１４によって後述する本体装着モジュール２００とスクリュ締結方式で連結される際に電源が接続され、ＰＤＭＳモジュール１００の着脱時に電源の接続が解除されることができる。本発明の場合、別途の電源オン／オフ（ｏｎ／ｏｆｆ）スイッチ（図示せず）があるが、ＰＤＭＳモジュール１００を着脱することによって、電源がオフされ、バッテリの消耗を軽減することができる。
【００２５】
また、近赤外線ＬＥＤフレーム１３０に形成される固定用突起１３４は、本体装着モジュール２００に連結時、回転の停止及び定位置での電極の接触が起こるように設計される。
【００２６】
本体装着モジュール２００は、ＰＤＭＳモジュール１００とスクリュ締結方式で着脱可能であり、ＰＤＭＳモジュール１００に必要な電源が線連結処理なしに電極を用いた電源連結方式で接触するようにするモバイル機器の構成である。このような本体装着モジュール２００は、図２に示すように、ＰＤＭＳモジュール１００に形成されるネジ部１１４とスクリュ締結方式で着脱されるための流線型ケース連結部２１０と、ＰＤＭＳモジュール１００に電源を供給するための電極２２１と、ＰＤＭＳモジュール１００に形成された固定用突起１３４が定位置に位置し、固着できる流線型ケース固定ホール２２２が形成され、流線型ケース連結部２１０に対応する形状で流線型ケース連結部２１０に配置構成されるメインＰＣＢ２２０と、流線型ケース連結部２１０に対応して位置するメインＰＣＢ２２０を収容する形態で下部に配置され、流線型ケース連結部２１０と締結される本体装着ベースフレーム２３０とを含んで構成することができる。
【００２７】
また、本体装着モジュール２００は、本体装着ベースフレーム２３０の一側に締結される洗濯ばさみ状のモバイル機器固定部２４０を更に含んで構成することができる。ここで、モバイル機器固定部２４０は、本体装着ベースフレーム２３０の一側に締結されるモバイル機器固定台２４１と、本体装着ベースフレーム２３０の一側締結部位でモバイル機器固定台２４１を連結する連結ピン２４２と、連結ピン２４２に結合締結されるバネ部材２４３と、モバイル機器固定台２４１の末端に締結される支持台２４４とを含んで構成されることができる。ここで、モバイル機器固定部２４０に設置固定されるモバイル機器は、カメラを具備し、カメラを通じて得られる触覚画像及び近赤外線画像の整合画像を用いて乳癌の自己診断のための画像処理を行う特定プログラムエンジン（アプリ）が搭載されて実行される端末の構成である。
【００２８】
図３は、本発明の一実施形態に係る乳癌自己診断機着脱装置の組立斜視図の構成を示しており、図４は、本発明の一実施形態に係る乳癌自己診断機着脱装置の側面構成を示している。また、図５は、本発明の一実施形態に係る乳癌自己診断機着脱装置の平面図及び底面図の構成を示す。ここで、図５の（ａ）は、乳癌自己診断機着脱装置の平面図の構成を示しており、図５の（ｂ）は、乳癌自己診断機着脱装置の底面図の構成を示している。
【００２９】
前述したように、本発明の一実施形態に係る乳癌自己診断機着脱装置は、乳癌自己診断機としてＰＤＭＳモジュールと本体装着モジュールで構成され、ＰＤＭＳモジュールと本体装着モジュールがスクリュ締結方式の着脱により連結され、ＰＤＭＳモジュールに必要な電源が線連結処理なしに電極を用いた電源連結方式で接触する構造を有するように構成することによって、使用者の胸部位に接触し、乳癌を診断できるようにするための乳癌自己診断機の便利な着脱使用を可能にすることができ、また、分離して構成されるＰＤＭＳモジュールと本体装着モジュールのスクリュ締結方式の着脱構造の構成によるＰＤＭＳモジュールに必要なパワー電源の供給が電極を用いた電源連結の無線方式で連結されるようにすることによって、未使用時にはＰＤＭＳモジュールを本体装着モジュールから簡単にスクリュ方式で着脱分離するだけでも電源がオフされるため、バッテリの消耗が軽減され、乳癌自己診断機の使用の利便性が向上できるようにする。
【００３０】
以上、説明した本発明は、本発明が属する技術分野において通常の知識を有する者によって多様な変形や応用が可能であり、本発明による技術的思想の範囲は、以下の特許請求の範囲によって定められるべきである。
【符号の説明】
【００３１】
１０    本発明の一実施形態に係る乳癌自己診断機着脱装置
１００    ＰＤＭＳモジュール
１１０    流線型ケース
１１１    触覚センサ
１１２    貫通孔
１１３    第１のＬＥＤホルダ
１１４    ネジ部
１２０    ＬＥＤホルダフレーム
１２１    第２のＬＥＤホルダ
１３０    近赤外線ＬＥＤフレーム
１３１    近赤外線ＬＥＤ
１３２    ＬＥＤ固定部
１３３    電源連結部ＰＣＢ
１３３ａ    接触式電極
１３４    固定用突起
２００    本体装着モジュール
２１０    流線型ケース連結部
２２０    メインＰＣＢ
２２１    電極
２２２    流線型ケース固定ホール
２３０    本体装着ベースフレーム
２４０    モバイル機器固定部
２４１    モバイル機器固定台
２４２    連結ピン
２４３    バネ部材
２４４    支持台
【図１】
2019080901.tif 000003
【図２】
2019080901.tif 000004
【図３】
2019080901.tif 000005
【図４】
2019080901.tif 000006
【図５】
2019080901.tif 000007